(57)【要約】      （修正有）【課題】停電することなく、連続的に発電する浮き船型噴揚水柱力発電装置を提供する。【解決手段】船体中央部に設置した逆漏斗型の水柱室Ｊから左右両舷の船外還元口６、１２に到るまで連結した水路管の途中に水車付き発電機２、３、４、８、９、１０と循環促進ポンプ５、１１を設け、稼働の結果誕生した電気を取得できる仕組みで構成する。【選択図】図１
0003199458.tif 000002
【実用新案登録請求の範囲】
【請求項１】
本案は、浮船を沈める方向に作用する吸引力と、沈ませない方向に作用する噴揚水柱力エネルギーを用い水車及び発電機を回転運動させ電気エネルギーに変換すると共に発電用噴揚水柱力エネルギーが連続発生するよう電動ポンプを使って循環補填運動を起こし、常時絶え間なく連続発電する仕組みで構成する浮船形墳揚水柱力発電装置。
【考案の詳細な説明】
【考案の詳細な説明】
【技術分野】
【０００１】  常に停電することなく連続的に発電すると共に常時照明や情報伝達機器・動力等の需要に即応できるインフラ要件充実電源の供給分野に関する浮船形墳揚水柱力発電装置。
【背景分野】
【０００２】  従来の水力発電は、有限の貯水ダムから低所に設けた水車及び発電機まで落下放流する水（１ｌ＝１ｋｇ）の水力エネルギーを用い電気エネルギーに変換してきたが、ダムに貯めた有限の水量には（覆水盆に帰らずの諺通り）限界があるため、補填用の降雨量が少ない乾季には文化生活及び経済の発展基盤であるベースロード電源及び発電用水不足に陥る宿命的な欠点がある分野。（揚水式発電は、発電時間と要揚水動力購入時間が昼夜分離分断逆行方式）
【先行文献】
【非特許文献１、発電エネルギー変換図】
・水力発電における発電機を廻し終えた後の水資源は放水路を経て河川へ放流している実図。  ・原子力発電は、使用後の核廃棄物を長期間後世に処理させる欠点に陥る実態図。  ・火力発電は、化石燃料の焼却後に残る国富流失燃料費及びＣＯ２処理費負担に陥る実態図。
【非特許文献２、水力発電の構成種類図】
流れ込み式＋調整池式＋貯水式＋揚水式等の発電用エネルギーの全ては１事業所１ダム１落水路１発電機のみに限定された増加発電不可能な変換方式である実態図。
【非特許文献３、発電エネルギー別占有比率】
１、全原子力発電停止中・２、水力発電８，４％・火力発電９０，５％・その他１，１％の円グラフ。
【考案の概要】
【考案が解決しようとしている課題】
【０００３】  本案は、発電用全貯水ダムの水面上に多くの浮船形墳揚水柱力発電装置船を配し、現在の占有率８，４％に限定された電気エネルギーの占有率向上（８，４％×１２倍＝１００，８％）に寄与することにより、文化生活と経済の発展基盤に必要なベースロード電源不足の課題を解決しようとする付加価値を持つ浮船形墳揚水柱力発電装置。
【課題を解決する手段】
【０００４】▲１▼発電用ダム数及び水嵩は現行のまま増すことなく電気エネルギーのみを増加する手段。▲２▼国富を流失する化石燃料不使用及びＣＯ２排出０に資する手段。▲３▼浮船を沈めるように作用する吸引力と、沈まないように作用する墳揚水柱力エネルギーを多量の電気エネルギーに変換する無公害エネルギーの活用手段。
【考案の効果】
【０００５】１、全ての船底に現存する噴揚水柱力エネルギーを電気エネルギーに変換できる効果。２、生物の源泉である無公害の水資源から需要に即応できる電気エネルギーが取得できる。３、国富の流失額と比例する化石燃料費不要の電気エネルギーが取得できる経済効果。４、１００％自前調達可能の自然水資源を、文化生活と経済の発展活動に資する電気エネルギーに変換できる効果。
【符号の説明】
【０００６】Ａ、船内                  １−１’、噴揚水柱力導入開閉弁Ｂ、船外                  ２−２’、左右第一発電機Ｃ、水面                  ３−３’、左右電動ポンプＤ、喫水点                ４−４’、左右第二発電機Ｅ、沈下力                ５−５’、左右噴揚水柱力還元口Ｆ、噴揚力                  →    、水流方向Ｇ、こし器Ｈ、バラストＩ，水柱力増強分配室
【図１】
0003199458.tif 000003
【手続補正書】
【提出日】平成27年5月22日(2015.5.22)
【手続補正１】
【補正対象書類名】実用新案登録請求の範囲
【補正対象項目名】全文
【補正方法】変更
【補正の内容】
【実用新案登録請求の範囲】
【請求項１】
本案は、船体中央部に設置した逆漏斗型の水柱室から左右両舷の船外還元口に到るまで連結した水路管の途中に水車付き発電機と循環促進ポンプを設け稼働の結果誕生した電気を取得できる仕組みで構成する浮き船型噴揚水柱力発電装置
【手続補正２】
【補正対象書類名】明細書
【補正対象項目名】全文
【補正方法】変更
【補正の内容】
【考案の詳細な説明】
【考案の詳細な説明】
【技術分野】
【０００１】  満水の風呂に入浴した身体分と同量の湯水が溢れる自然科学に属する活用分野  従来の上から下へ流れ落ちる放流滅失水量に比例する発電方式でなく、貯水量を減ずることなく貯水池の水面上に発電船を浮べ発電→１００％還元→吸引→噴揚→発電→循環再生させる噴揚水柱力で発電機を廻して電気エネルギーに変換する方式である。  具体的には、貯水池上に浮かべた浮き船型噴揚水柱力発電装置船隻数×搭載発電機数＝全発電機が常に停止することなく定格回転で廻り定格周波数の電気を誕生させると共に照明やＴＶ・エアコン・冷蔵庫等の器具が安定的にかつ連続的に常時使用できるインフラ要件充実ベースロード電源の供給分野に関する浮き船型噴揚水柱力発電装置である
【背景分野】
【０００２】  従来は、有限の貯水池から下へ落下放流する水力（水１ｌ＝１ｋｇ）エネルギーを用いて発電機を廻し電気エネルギーに変換したきたが貯水池に貯めた有限の水量は（覆水盆に帰らずの諺通り）限界があるため補填する降雨が少ない乾季には文化生活や経済の発展基盤であるベースロード電源が渇水と比例して不足する宿命に陥る欠点を持つ電力供給分野  加えて、揚水式は揚水電源購入時間帯は宿命的に無発電出費多額の欠点を持つ不採算分野
【考案の概要】
【考案が解決しようとしている課題】
【０００３】  本案は、発電用全貯水池の水面に多数の浮き船型噴揚水柱力発電装置船を浮べ現在の水力発電占有率８，４％×向上率（図面１の船隻数４）１６倍＝１３４，４％の確保に寄与することにより文化生活の質や経済発展の増大に必要なベースロード電源不足の課題を解決する機能及び付加価値を有する浮き船型噴揚水柱力発電装置  日本の家庭供給電力規格＝１００Ｖ−５０／６０Ｈｚ）
【課題を解決する手段】
【０００４】▲１▼  発電用ダム数及び水嵩を増すことなく多量の電気エネルギーを容易に取得できる手段▲２▼  国富流出防止及び火力発電不要によりＣＯ２排出０に貢献する国富増加及び無害促進手段▲３▼  浮き船型噴揚水柱力発電装置は、１００％自前エネルギーで発電する為外貨支払い０＄で済むことにより貿易収支大幅改善に貢献できる電気エネルギー取得手段
【考案の効果】
【０００５】イ、逆漏斗型の水柱室で作った１００％自前エネルギーの噴揚水柱力を電気エネルギー変換できる効果ロ、生物を構成している無害の水を原材料に需要に対応できる新電気エネルギー取得効果ハ、国富損出防止額と同額の国富が毎年累積され増え続ける新国益拡大効果ニ、文化生活の向上と経済の発展に必要な電気エネルギーが１００％自前エネルギーで取得できる安全安定電源確保効果ホ、現在の水力発電占有率８，４％×発電基数１６倍＝１３４，４％となる占有率増加向上効果ヘ、低コスト高パフォーマンスは外の発電方式に類がない有益効果ト、有限である化石燃料資源の延命及び次世代へ長期継続引渡し利用促進の効果チ、電気エネルギー製造原価低兼化＋ＣＯ２無排出化による市場シエア拡大効果の誕生
【図面の簡単な説明】
【０００６】
【図１】
0003199458.tif 000004
【符号の説明】
【０００７】    （符号の説明を記載します）Ａ−船体                １−左噴揚水柱力導入開閉弁    １０−右発電機３号Ｂ−船内                ２−左発電機１号              １１−右循環促進ポンプＣ−船外                ３−左発電機２号              １２−右還元口Ｄ−水面                ４−左発電機３号              １３−連結管Ｅ−喫水点              ５−左循環促進ポンプ          １４−↑水流方向Ｆ−沈下力              ６−左還元口Ｇ−噴揚力              ７−右噴揚水柱力導入開閉弁Ｈ−こし器              ８−右発電機１号Ｉ−バラスト            ９−右発電機２号Ｊ−水柱室
【手続補正書】
【提出日】平成27年7月2日(2015.7.2)
【手続補正１】
【補正対象書類名】明細書
【補正対象項目名】０００６
【補正方法】変更
【補正の内容】
【０００６】
【図１】  本案の平面図